(57)【要約】      （修正有）【課題】レーザーカッティングヘッドが３次元空間を自由に移動できるため、加工の難しさが軽減され、シート材の運搬の手間とエラーを減少するレーザー切断機を提供する。【解決手段】作業台２の作業台針板２４の表裏にはガイドレールが設けられ、ガイドレールにはガイドレールに沿って左右にスライド可能な並進支持機構４が配置され、並進支持機構にはクロスビーム５が配置されている。レーザーカッティングヘッドはクロスビームの中央に吊り下げられ、レーザーカッティングヘッドはクロスビームに対して前後方向に移動でき、ガイドレール上を左右、前後に移動し、同時に上下に昇降することもできる。最終的に３次元空間の３つの軸上で自由に移動できる。【選択図】図１
0003233396.tif 000002
【実用新案登録請求の範囲】
【請求項１】
フレームとフレームに配置された作業台が含まれ、作業台には作業台針板が設けられているレーザー切断機であって、
作業台の作業台針板の表裏にはガイドレールが設けられ、ガイドレールにはガイドレールに沿って左右にスライド可能な並進支持機構が配置され、並進支持機構にはクロスビームが配置され、
レーザーカッティングヘッドはクロスビームの中央に吊り下げられ、レーザーカッティングヘッドはクロスビームに対して前後方向に移動でき、
前記作業台のガイドレールの内側に２つのスライドレールが設けられ、スライドレールにはシート材クランプ機構が配置され、シート材クランプ機構には、トラクターとシリンダークランプ装置が含まれており、
シリンダークランプ装置は４つあり、その中の２つは１グループとなり、各グループはそれぞれ同じスライドレール上に設置され、２グループのシリンダークランプ装置間は同じモーショントラックでスライドレール上をスライドするように固定接続されており、
シリンダクランプ装置は、連結管を介してトラクタに連結され、トラクタは具体的にはカムトロリーであり、作業台の中間位置に伝動チェーンが設けられ、伝動チェーンにカムトロリーが接続され、
前記カムトロリーはギアボックスとモーターに接続されており、
トロリーの車輪は、伝動チェーンの両側のレールに配置され、トロリーの中央にはカム溝が設けられ、カム溝にはカムが設けられ、
カムの前側はタイロッドに接続され、タイロッドのヘッドが下向きに曲がって下向きのフックが形成され、フックが伝動チェーン間の伝動ガイドレールを引っ掛け、フックが伝動ガイドレールに引っ掛かると、トロリーは伝動ガイドレールによって前方に駆動され、カムが後退するとフックが浮き上がり、カムの裏側には接続管をクランプするためのクランプブロックが設けられ、前記クランプブロックはカムが前進するとクランプし、カムが後退するとアンクランプし、また、前記スライドレールにはシリンダークランプ装置の前進を制限するステーションが設けられていることを特徴とするレーザー切断機。
【請求項２】
前記シリンダクランプ装置は、シリンダ固定ブロックを介してスライドレールに取り付けられ、シリンダ固定ブロックにシリンダを取り付け、シリンダの上方にシリンダクランプジョーを配置し、シート材をクランプすることを特徴とする請求項１に記載されたバネ圧縮器。
【請求項３】
支持柱が前記フレームの下に設けられ、支持パッドが支持柱の下に配置されていることを特徴とする請求項２に記載されたバネ圧縮器。
【考案の詳細な説明】
【技術分野】
【０００１】
本発明は、機械加工分野に関し、特にレーザー切断機に関する。
【背景技術】
【０００２】
レーザー切断は、レーザーから放出されたレーザー光で、光路システムを介して高出力密度のレーザービームに集束され、レーザービームは、ワークの表面に当たり、ワークを融点または沸点に持ってきて、同時に、ビームと同軸の高圧ガスが溶融またはガス化した金属を吹き飛ばし、ビームとワークの相対位置が移動すると、材料は最終的にスリットに形成され、切断の目的が達成される。レーザー切断加工は、従来のメカニカルナイフを目に見えないビームに置き換えたため、高精度、高速切断、切断パターンの制限に限定されない、材料を節約するための自動レイアウト、スムーズな切り込み、低加工コストなどの特徴がある。
【考案の概要】
【考案が解決しようとする課題】
【０００３】
本発明は、レーザー切断機を提供することを目的とする。
【０００４】
上記の技術的目的を達成するために、本発明は以下の技術的解決策を採用する。レーザー切断機につき、レーザー切断機はフレームとフレームに配置された作業台が含まれ、作業台には作業台針板が設けられている。作業台の作業台針板の表裏にはガイドレールが設けられ、ガイドレールにはガイドレールに沿って左右にスライド可能な並進支持機構が配置され、並進支持機構にはクロスビームが配置されている。レーザーカッティングヘッドはクロスビームの中央に吊り下げられ、レーザーカッティングヘッドはクロスビームに対して前後方向に移動できる。前記作業台のガイドレールの内側に２つのスライドレールが設けられ、スライドレールにはシート材クランプ機構が配置され、シート材クランプ機構には、トラクターとシリンダークランプ装置が含まれている。シリンダークランプ装置は４つあり、その中の２つは１グループとなり、各グループはそれぞれ同じスライドレール上に設置され、２グループのシリンダークランプ装置間は同じモーショントラックでスライドレール上をスライドするように固定接続されている。シリンダクランプ装置は、連結管を介してトラクタに連結され、トラクタは具体的にはカムトロリーであり、作業台の中間位置に伝動チェーンが設けられ、伝動チェーンにカムトロリーが接続されている。前記カムトロリーはギアボックスとモーターに接続されている。トロリーの車輪は、伝動チェーンの両側のレールに配置され、トロリーの中央にはカム溝が設けられ、カム溝にはカムが設けられている。カムの前側はタイロッドに接続され、タイロッドのヘッドが下向きに曲がって下向きのフックが形成され、フックが伝動チェーン間の伝動ガイドレールを引っ掛け、フックが伝動ガイドレールに引っ掛かると、トロリーは伝動ガイドレールによって前方に駆動され、カムが後退するとフックが浮き上がり、カムの裏側には接続管をクランプするためのクランプブロックが設けられ、前記クランプブロックはカムが前進するとクランプし、カムが後退するとアンクランプする。また、前記スライドレールにはシリンダークランプ装置の前進を制限するステーションが設けられている。
【０００５】
オプションとして、前記シリンダクランプ装置は、シリンダ固定ブロックを介してスライドレールに取り付けられ、シリンダ固定ブロックにシリンダを取り付け、シリンダの上方にシリンダクランプジョーを配置し、シート材をクランプする。
【０００６】
オプションとして、支持柱が前記フレームの下に設けられ、支持パッドが支持柱の下に配置されている。
【０００７】
本発明により設計されたレーザー切断機は、作業台の作業台針板の表裏にはガイドレールが設けられ、ガイドレールにはガイドレールに沿って左右にスライド可能な並進支持機構が配置され、並進支持機構にはクロスビームが配置されている。レーザーカッティングヘッドはクロスビームの中央に吊り下げられ、レーザーカッティングヘッドはクロスビームに対して前後方向に移動でき、レーザーカッティングヘッドは並進支持機構によってガイドレール上を左右にスライドすることができる。それはビーム上を前後に移動することもでき、同時に上下に昇降することもできる。最終的に３次元空間の３つの軸上で自由に移動できるため、加工の難しさが大幅に軽減されている。前記作業台のガイドレールの内側に２つのスライドレールが設けられ、スライドレールにはシート材クランプ機構が配置され、シート材クランプ機構には、トラクターとシリンダークランプ装置が含まれている。シリンダークランプ装置は４つあり、その中の２つは１グループとなり、各グループはそれぞれ同じスライドレール上に設置され、２グループのシリンダークランプ装置間は同じモーショントラックでスライドレール上をスライドするように固定接続されている。シリンダクランプ装置は、連結管を介してトラクタに連結され、トラクタは具体的にはカムトロリーであり、作業台の中間位置に伝動チェーンが設けられ、伝動チェーンにカムトロリーが接続されている。前記カムトロリーはギアボックスとモーターに接続されている。トロリーの車輪は、伝動チェーンの両側のレールに配置され、トロリーの中央にはカム溝が設けられ、カム溝にはカムが設けられている。カムの前側はタイロッドに接続され、タイロッドのヘッドが下向きに曲がって下向きのフックが形成され、フックが伝動チェーン間の伝動ガイドレールを引っ掛け、フックが伝動ガイドレールに引っ掛かると、トロリーは伝動ガイドレールによって前方に駆動され、カムが後退するとフックが浮き上がり、カムの裏側には接続管をクランプするためのクランプブロックが設けられ、前記クランプブロックはカムが前進するとクランプし、カムが後退するとアンクランプする。このように、カムトロリーのフロントフックが伝動ガイドレールに引っ掛かると、クランプブロックが接続管をクランプし、このとき、接続管が後方に牽引力を加え、伝動ガイドレールが前方に牽引力を加えると、この２つの力のバランスが取られる。トロリーは伝動チェーンの回転に伴って接続管を引き上げ、４グループのシリンダークランプ装置を一緒に前方に駆動する。また、前記スライドレールにはシリンダークランプ装置の前進を制限するステーションが設けられ、このステーションにシリンダクランプ装置が移動すると、前進を停止し、接続管を介してカムトロリーに後方への牽引力を加える。このとき、カムトロリーが受ける後方への牽引力は前方への牽引力よりも大きく、カムが後方に移動するとフックが浮き上がって、トロリーの移動が停止する。このようにして、シート材は都度一定のステーションに運搬され、手作業によるエラーが大幅に減少し、加工前にその位置を校正する必要がなくなる。シート材を運搬する時に、シート材をクランプしたら、トロリーのフックを伝動ガイドレールに引っ掛けるだけで、時間と労力とも節約できる。
【図面の簡単な説明】
【０００８】
【図１】図１は本発明の側面図である。
【図２】図２は作業台上面の上面図である。
【０００９】
図の中では、１：フレーム、２：作業台、３：ガイドレール、４：並進支持機構、５：クロスビーム、６：レーザーカッティングヘッド、７：スライドレール、８：トラクター、９：シリンダークランプ装置、１０：接続管、１１：伝動チェーン、１２：車輪、１３：カム溝、１４：カム、１５：タイロッド、１６：伝動ガイドレール、１７：クランプブロック、１８：ステーション、１９：シリンダー固定ブロック、２０：シリンダー、２１：シリンダークランプジョー、２２：支持柱、２３：支持パッド、２４：作業台針板。
【考案を実施するための形態】
【００１０】
以下、本発明の実施例について詳細に説明する。前記実施例の事例は添付図に示され、その中で最初から最後まで同じまたは類似の参照番号は、同じまたは類似の素子、あるいは同じまたは類似の機能を有する素子を示す。以下に添付図を参照して説明する実施例は、例示的なもので、本発明を説明するためにのみ使用され、本発明を限定するものと解釈することはできない。
【００１１】
本発明の説明において、特に指定及び限定がない限り、「設置」、「連結」、及び「接続」という用語は、広い意味で理解されるべきであることに注意してほしい。例えば、機械的な接続、電気的な接続でも、２つの素子間の接続でも言え、直接連結することも、中間媒体を介して間接的に連結することも言えられる。当業者にとって、上記の用語の特定の意味は、特定の状況に応じて理解できる。
【００１２】
以下、図１を参照して、本発明の一実施例に係るレーザ切断機について説明する。レーザー切断機はフレーム１とフレーム１に配置された作業台２が含まれ、作業台２には作業台針板２４が設けられている。作業台２の作業台針板２４の表裏にはガイドレール３が設けられ、ガイドレール３にはガイドレール３に沿って左右にスライド可能な並進支持機構４が配置され、並進支持機構４にはクロスビーム５が配置されている。レーザーカッティングヘッド６はクロスビーム５の中央に吊り下げられ、レーザーカッティングヘッド６はクロスビーム５に対して前後方向に移動できる。前記作業台２のガイドレール３の内側に２つのスライドレール７が設けられ、スライドレール７にはシート材クランプ機構が配置され、シート材クランプ機構には、トラクター８とシリンダークランプ装置９が含まれている。シリンダークランプ装置９は４つあり、その中の２つは１グループとなり、各グループはそれぞれ同じスライドレール７上に設置され、２グループのシリンダークランプ装置９間は同じモーショントラックでスライドレール７上をスライドするように固定接続されている。シリンダクランプ装置９は、連結管１０を介してトラクタ８に連結され、トラクタ８は具体的にはカムトロリーであり、作業台２の中間位置に伝動チェーン１１が設けられ、伝動チェーン１１にカムトロリーが接続されている。前記カムトロリーはギアボックスとモーターに接続されている。トロリーの車輪１２は、伝動チェーン１１の両側のレールに配置され、トロリーの中央にはカム溝１３が設けられ、カム溝１３にはカム１４が設けられている。カム１４の前側はタイロッド１５に接続され、タイロッド１５のヘッドが下向きに曲がって下向きのフックが形成され、フックが伝動チェーン１１間の伝動ガイドレール１６を引っ掛け、フックが伝動ガイドレール１６に引っ掛かると、トロリーは伝動ガイドレール１６によって前方に駆動され、カム１４が後退するとフックが浮き上がり、カム１４の裏側には接続管１０をクランプするためのクランプブロック１７が設けられ、前記クランプブロック１７はカム１４が前進するとクランプし、カム１４が後退するとアンクランプする。また、前記スライドレール７にはシリンダークランプ装置９の前進を制限するステーション１８が設けられている。
【００１３】
オプションとして、前記シリンダクランプ装置９は、シリンダ固定ブロック１９を介してスライドレール７に取り付けられ、シリンダ固定ブロック１９にシリンダ２０を取り付け、シリンダ２０の上方にシリンダクランプジョー２１を配置し、シート材をクランプする。
【００１４】
オプションとして、支持柱２２が前記フレーム１の下に設けられ、支持パッド２３が支持柱２２の下に配置されている。
【００１５】
本発明により設計されたレーザー切断機は、作業台の作業台針板の表裏にはガイドレールが設けられ、ガイドレールにはガイドレールに沿って左右にスライド可能な並進支持機構が配置され、並進支持機構にはクロスビームが配置されている。レーザーカッティングヘッドはクロスビームの中央に吊り下げられ、レーザーカッティングヘッドはクロスビームに対して前後方向に移動でき、レーザーカッティングヘッドは並進支持機構によってガイドレール上を左右にスライドすることができる。それはビーム上を前後に移動することもでき、同時に上下に昇降することもできる。最終的に３次元空間の３つの軸上で自由に移動できるため、加工の難しさが大幅に軽減されている。前記作業台のガイドレールの内側に２つのスライドレールが設けられ、スライドレールにはシート材クランプ機構が配置され、シート材クランプ機構には、トラクターとシリンダークランプ装置が含まれている。シリンダークランプ装置は４つあり、その中の２つは１グループとなり、各グループはそれぞれ同じスライドレール上に設置され、２グループのシリンダークランプ装置間は同じモーショントラックでスライドレール上をスライドするように固定接続されている。シリンダクランプ装置は、連結管を介してトラクタに連結され、トラクタは具体的にはカムトロリーであり、作業台の中間位置に伝動チェーンが設けられ、伝動チェーンにカムトロリーが接続されている。前記カムトロリーはギアボックスとモーターに接続されている。トロリーの車輪は、伝動チェーンの両側のレールに配置され、トロリーの中央にはカム溝が設けられ、カム溝にはカムが設けられている。カムの前側はタイロッドに接続され、タイロッドのヘッドが下向きに曲がって下向きのフックが形成され、フックが伝動チェーン間の伝動ガイドレールを引っ掛け、フックが伝動ガイドレールに引っ掛かると、トロリーは伝動ガイドレールによって前方に駆動され、カムが後退するとフックが浮き上がり、カムの裏側には接続管をクランプするためのクランプブロックが設けられ、前記クランプブロックはカムが前進するとクランプし、カムが後退するとアンクランプする。このように、カムトロリーのフロントフックが伝動ガイドレールに引っ掛かると、クランプブロックが接続管をクランプし、このとき、接続管が後方に牽引力を加え、伝動ガイドレールが前方に牽引力を加えると、この２つの力のバランスが取られる。トロリーは伝動チェーンの回転に伴って接続管を引き上げ、４グループのシリンダークランプ装置を一緒に前方に駆動する。また、前記スライドレールにはシリンダークランプ装置の前進を制限するステーションが設けられ、このステーションにシリンダクランプ装置が移動すると、前進を停止し、接続管を介してカムトロリーに後方への牽引力を加える。このとき、カムトロリーが受ける後方への牽引力は前方への牽引力よりも大きく、カムが後方に移動するとフックが浮き上がって、トロリーの移動が停止する。このようにして、シート材は都度一定のステーションに運搬され、手作業によるエラーが大幅に減少し、加工前にその位置を校正する必要がなくなる。シート材を運搬する時に、シート材をクランプしたら、トロリーのフックを伝動ガイドレールに引っ掛けるだけで、時間と労力とも節約できる。
【００１６】
本明細書の説明において、「一実施例」、「例」、または「いくつかの例」という用語に関する説明は、実施例または例に関連して説明された特定の特徴、構造、材料、または特性が、少なくとも１つの実施形態または例に含まれることを意味する  。本明細書では、上記用語の概略的な表現について、必ずしも同じ実施例または例を指すとは限らない。さらに、記載された特定の特徴、構造、材料、または特性は、任意の１つまたは複数の実施例または例において、適切な方法で組み合わせることができる。
【００１７】
本発明の実施例を示して説明したが、当業者は、以下を理解することができる。本発明の原理及び目的から逸脱することなく、これらの実施例に対して様々な変更、修正、置換、及び変型を行うことができ、本発明の範囲は、権利請求の範囲及びそれらの均等物によって定義される。
【図１】
0003233396.tif 000003
【図２】
0003233396.tif 000004
【手続補正書】
【提出日】令和3年3月22日(2021.3.22)
【手続補正１】
【補正対象書類名】実用新案登録請求の範囲
【補正対象項目名】全文
【補正方法】変更
【補正の内容】
【実用新案登録請求の範囲】
【請求項１】
フレームとフレームに配置された作業台が含まれ、作業台には作業台針板が設けられているレーザー切断機であって、
作業台の作業台針板の表裏にはガイドレールが設けられ、ガイドレールにはガイドレールに沿って左右にスライド可能な並進支持機構が配置され、並進支持機構にはクロスビームが配置され、
レーザーカッティングヘッドはクロスビームの中央に吊り下げられ、レーザーカッティングヘッドはクロスビームに対して前後方向に移動でき、
前記作業台のガイドレールの内側に２つのスライドレールが設けられ、スライドレールにはシート材クランプ機構が配置され、シート材クランプ機構には、トラクターとシリンダークランプ装置が含まれており、
シリンダークランプ装置は４つあり、その中の２つは１グループとなり、各グループはそれぞれ同じスライドレール上に設置され、２グループのシリンダークランプ装置間は同じモーショントラックでスライドレール上をスライドするように固定接続されており、
シリンダクランプ装置は、連結管を介してトラクタに連結され、トラクタは具体的にはカムトロリーであり、作業台の中間位置に伝動チェーンが設けられ、伝動チェーンにカムトロリーが接続され、
前記カムトロリーはギアボックスとモーターに接続されており、
トロリーの車輪は、伝動チェーンの両側のレールに配置され、トロリーの中央にはカム溝が設けられ、カム溝にはカムが設けられ、
カムの前側はタイロッドに接続され、タイロッドのヘッドが下向きに曲がって下向きのフックが形成され、フックが伝動チェーン間の伝動ガイドレールを引っ掛け、フックが伝動ガイドレールに引っ掛かると、トロリーは伝動ガイドレールによって前方に駆動され、カムが後退するとフックが浮き上がり、カムの裏側には接続管をクランプするためのクランプブロックが設けられ、前記クランプブロックはカムが前進するとクランプし、カムが後退するとアンクランプし、また、前記スライドレールにはシリンダークランプ装置の前進を制限するステーションが設けられていることを特徴とするレーザー切断機。
【請求項２】
前記シリンダクランプ装置は、シリンダ固定ブロックを介してスライドレールに取り付けられ、シリンダ固定ブロックにシリンダを取り付け、シリンダの上方にシリンダクランプジョーを配置し、シート材をクランプすることを特徴とする請求項１に記載されたレーザー切断機。
【請求項３】
支持柱が前記フレームの下に設けられ、支持パッドが支持柱の下に配置されていることを特徴とする請求項２に記載されたレーザー切断機。